【事件の表示】
　特願２０１６−　１７０７４「力覚提示装置」拒絶査定不服審判事件〔平成２９年　８月１０日出願公開、特開２０１７−１３８６５１、請求項の数（３）〕について、次のとおり審決する。
【結　論】
　原査定を取り消す。
　本願の発明は、特許すべきものとする。
【理　由】
第１　手続の経緯
　本願は、平成２８年２月１日の出願であって、令和元年８月５日付けで拒絶理由通知がされ、同年１０月９日に意見書が提出され、令和２年３月３日付けで拒絶査定（原査定）がされ、これに対し、同年６月４日に拒絶査定不服審判の請求と同時に手続補正がされたものである。
　なお、令和２年６月４日にされた手続補正は、明細書に対するものである。
第２　原査定の概要
　原査定の概要は次のとおりである。
　本願請求項１ないし３に係る発明は、以下の引用文献１及び２に記載された発明に基いて、その発明の属する技術の分野における通常の知識を有する者（以下、「当業者」という。）が容易に発明をすることができたものであるから、特許法第２９条第２項の規定により特許を受けることができない。
［引用文献等一覧］
１　特開平７−１４６７５１号公報
２　特開２０１５−３１９７６号公報
第３　本願発明
　本願請求項１ないし３に係る発明（以下、それぞれ「本願発明１」ないし「本願発明３」という。）は、願書に添付された特許請求の範囲の請求項１ないし３に記載された事項により特定される発明であり、本願発明１は以下のとおりの発明である。
「　操作者の操作によって変位する変位部を有する操作部と、
　前記変位部の変位量を検出するための変位量検出部と、
　前記変位部の変位動作に連動して回転する回転部を有し、供給される電流の大きさに応じた強さの磁場を内部に封入された磁気粘性流体に付与して、当該電流の大きさに応じた回転抵抗を前記回転部に付与するように構成された回転抵抗発生部と、
　予め設定された変位量と電流値の対応情報と、前記変位量検出部が検出する変位量とに基づいて定まる値の電流を前記回転抵抗発生部に供給する制御装置と、
　前記変位量検出部が検出する変位量に応じて変形する仮想物体を仮想空間に表示する表示装置と、
　を備えることを特徴とする力覚提示装置。」
　なお、本願発明２及び３は、本願発明１を減縮した発明である。
第４　引用文献、引用発明等
１　引用文献１について
（１）引用文献１記載事項
　原査定の拒絶の理由に引用された上記引用文献１には、図面とともに次の事項が記載されている。
「【０００１】
【産業上の利用分野】本発明は、
計算機内部にあるデータとしての仮想物体を、操作者にあたかも存在するかのように感じさせて、造形作業などを計算機内部で行わせ、製品の使い勝手などを、試作することなく事前に体験することができる
力覚呈示デバイス
「【００６８】次に、第４の本発明のデータ入力デバイスの一実施例である、各手指の曲がりを入力する部分について説明する。図６はその斜視図である。図１の力覚呈示デバイスと兼用可能な、
データ入力デバイス３０はケーブル３により、情報処理手段２と接続され、情報処理手段２は表示手段４と接続され
操作者はデータ入力デバイス３０を掌でおおうように把持する
とき、人差指および中指の先端部分はデータ入力デバイス３０の表面上の窪み３４、３３の上に添えられ
窪み３３、３４には、圧力センサ３１ａ，３１ｂ，３１ｃ，３１ｄ，３１ｅ、３２ａ，３２ｂ，３２ｃ，３２ｄ，３２ｅが搭載されており、指の押す力を検出することができるようになっている
圧力センサとしては感圧式の導電ゴムなどが可能である
検出された指の力は、情報処理手段２に送られ、表示手段４による表示で確認することにより、例えば複数のポインティングデバイスによる複数点の位置情報と等価な情報として用いられ
また、指の力の情報を、
仮想物体を操作するための手指あるいは手指に相当する物の曲げ角度として用いることができ
【００６９】なお、図９および図１０での実施例では指の腹の部分に対して全ての方向の圧力を検出し、同様に全ての方向に対して反力を生じることができる事例で説明しているが、指の押す方向のみの検出および制御することができるデバイスとすることも容易に考えられることである。また、圧力の検出に圧力センサを用いる例で説明しているが、駆動軸４２ｂ，４２ｃ，４２ｄへの駆動負荷より指が押している力を計算で求める方法でも可能である。また、図６では指の先端部分の腹の部分のみの検出および制御ができる場合を記述しているが、それ以外の指部分の圧力検出および制御も同様の方法で可能であることは明白である。
【００７０】図８は、第５の本発明であるデータ入力装置の一実施例を示す斜視図である。図６、図７で説明したデータ入力デバイス３０を掌で把持して操作する。
データ入力デバイス３０に入力された手指の腹の圧力に基づく手指の曲げ意図はケーブル３を通して情報処理手段２に送られて仮想の手指の曲げ角度などに変換され
仮想の手指の曲げ角度は表示手段４により、画面の中で仮想物体４０に示すごとく、手指の形状そのままに表示され
このとき、仮想物体４１との相互の位置関係も画像として表示され
なお、
データ入力デバイスには、手の空間の位置及び姿勢を検知する検出器が必要である
【００７１】図９は、第６の本発明である、データ入力デバイス３０の指に反力を与える部分の一実施例を示した構成断面図である。指の腹が入る窪み３４に対して、図７と同様に圧力検出センサ３２ｃ，３２ｄ，３２ｂを設ける。
各圧力センサは可動部分４１ｃ、４１ｄ，４２ｂに搭載されており、駆動軸４２ｃ，４２ｄ，４２ｂを回転させることによりピニオン歯車とラック歯車の関係により、圧力センサを指の当たる方向に移動制御することができ
ボイスコイルモータなどによる直進型の電動機を用いて可動部分４１ｃ，４１ｄ，４１ｂを駆動することなども可能である
圧力センサの代わりに変位検知手段でも可能である
【００７２】図１０は、第７の本発明である制御系の構成を示した回路ブロック図である。
圧力センサの検出した圧力情報は増幅器３５ｃ，３５ｄ，３５ｂを経由して情報処理手段２へ送られると共に、比較制御手段４５ｃ，４５ｄ，４５ｂに送られ、情報処理手段２より送られてきた目標反力値が得られるよう比較制御処理が行われ
比較制御手段４５ｃ，４５ｄ，４５ｂの出力は駆動軸４２ｃ，４２ｄ，４２ｂに送られることにより、目標値通りの反力が得られるよう制御され
…（中略）…
【００７５】第８の本発明については、再び図８を用いて説明する。図８は、第８の本発明であるデータ入力装置を使用している一例を示す図でもある。図９、図１０で説明したデータ入力デバイス（ここでは力覚呈示デバイス）３０を掌で把持して操作する。力覚呈示デバイス３０に入力された手指の腹の圧力に基づく手指の曲げ意図はケーブル３を通して情報処理手段２に送られて仮想の手指の曲げ角度などに変換される。仮想の手指の曲げ角度は表示手段４により、画面の中で仮想物体４０に示すごとく、手指の形状そのままに表示される。このとき、仮想物体４１との相互の位置関係も画像として表示されている。画面上での手指の位置が仮想物体４１に当たっている場合は、情報処理手段２は画面を表示しているわけであるので、画面上で指の位置が仮想物体４１に接触していることは容易に知ることができる。このとき情報処理手段２は力覚呈示デバイス３０に対して反力を大きく与えるように指示を送る。
力覚呈示デバイス３０では手の指に反力を与えるので操作者は容易に手指の先が仮想物体４１に当たっていることを知ることができ、かつ、表示手段４からの画像出力を併せて知ることができるので、より高度な作業が実現でき
例えば、仮想物体４１が剛体ではなく、粘土などの弾塑性体の場合などには微妙な変形作業などが可能になる
［当審注］
　【００７１】の「可動部分４１ｃ、４１ｄ，４
２
１
「【図８】
」
「【図９】
」   
「【図１０】
」   
（２）引用発明１
　したがって、上記引用文献１には次の発明（以下、「引用発明１」という。）が記載されていると認められる。
「　計算機内部にあるデータとしての仮想物体を、操作者にあたかも存在するかのように感じさせて、造形作業などを計算機内部で行わせ、製品の使い勝手などを、試作することなく事前に体験することができる力覚呈示デバイスであって、
　データ入力デバイス３０はケーブル３により、情報処理手段２と接続され、情報処理手段２は表示手段４と接続され、操作者がデータ入力デバイス３０を掌でおおうように把持するとき、人差指および中指の先端部分はデータ入力デバイス３０の表面上の窪み３４、３３の上に添えられ、窪み３３、３４には、圧力センサ３１ａ，３１ｂ，３１ｃ，３１ｄ，３１ｅ、３２ａ，３２ｂ，３２ｃ，３２ｄ，３２ｅが搭載されており、指の押す力を検出することができるようになっており、圧力センサとしては感圧式の導電ゴムなどが可能であり、
　検出された指の力は、情報処理手段２に送られ、表示手段４による表示で確認することにより、例えば複数のポインティングデバイスによる複数点の位置情報と等価な情報として用いられ、また、指の力の情報を、仮想物体を操作するための手指あるいは手指に相当する物の曲げ角度として用いることができ、
　データ入力デバイス３０に入力された手指の腹の圧力に基づく手指の曲げ意図はケーブル３を通して情報処理手段２に送られて仮想の手指の曲げ角度などに変換され、仮想の手指の曲げ角度は表示手段４により、画面の中で仮想物体４０に示すごとく、手指の形状そのままに表示され、このとき、仮想物体４１との相互の位置関係も画像として表示され、なお、データ入力デバイスには、手の空間の位置及び姿勢を検知する検出器が必要であり、
　各圧力センサは可動部分４１ｃ、４１ｄ，４１ｂに搭載されており、駆動軸４２ｃ，４２ｄ，４２ｂを回転させることによりピニオン歯車とラック歯車の関係により、圧力センサを指の当たる方向に移動制御することができ、ボイスコイルモータなどによる直進型の電動機を用いて可動部分４１ｃ，４１ｄ，４１ｂを駆動することなども可能であり、圧力センサの代わりに変位検知手段でも可能であり、
　圧力センサの検出した圧力情報は増幅器３５ｃ，３５ｄ，３５ｂを経由して情報処理手段２へ送られると共に、比較制御手段４５ｃ，４５ｄ，４５ｂに送られ、情報処理手段２より送られてきた目標反力値が得られるよう比較制御処理が行われ、比較制御手段４５ｃ，４５ｄ，４５ｂの出力は駆動軸４２ｃ，４２ｄ，４２ｂに送られることにより、目標値通りの反力が得られるよう制御され、
　力覚呈示デバイス３０では手の指に反力を与えるので操作者は容易に手指の先が仮想物体４１に当たっていることを知ることができ、かつ、表示手段４からの画像出力を併せて知ることができるので、より高度な作業が実現でき、例えば、仮想物体４１が剛体ではなく、粘土などの弾塑性体の場合などには微妙な変形作業などが可能になる、
　力覚呈示デバイス。」
２　引用文献２について
（１）引用文献２記載事項
　原査定の拒絶の理由に引用された上記引用文献２には、図面とともに次の事項が記載されている。
「【０００４】
　しかしながら、
ボイスコイルモータを用いて、指先に付与する力覚を指間距離に応じてリアルに再現するには、コイルに流す電流の制御系が複雑になるという問題
【０００５】
　本発明は、
簡易な構成、構造、制御系でも、遠隔にある物体や仮想物体を手で扱う際の力覚をリアルに再現できる力覚提示システム
「【００１５】
　以下、本発明の実施形態に係る力覚提示システムについて図面を参照しながら説明する。図１に示すように、本発明の実施形態に係る
力覚提示システム１００は、操作ユニット１０、従動ユニット２０、保存・再生ユニット３０等で構成され
力覚提示システム１００では、操作者が操作ユニット１０を操作することで、遠隔にある対象物体１を従動ユニット２０を介して疑似的に掴むことができ、その力覚を操作ユニット１０の操作部においてリアルに再現し、操作者の指先等にあたかもその対象物体１が実在しているかのように感じさせることができ
また、保存・再生ユニット３０を利用して上記力覚情報を保存し、その保存した力覚情報を操作ユニット１０において再生させることができ
「【００１６】
＜操作ユニット＞
　
操作ユニット１０は、
回転抵抗発生装置５０、操作部１２、回転力伝達機構１３、回転量検出部１４、ケーシング１６等で構成され
【００１７】
　
回転抵抗発生装置５０は、内部に封入された磁気粘性流体に付与する磁場の強さを変化させることにより、回転軸（回転部）５１の回転抵抗を変化させ
回転軸５１は、
操作部１２の変位部（第２把持部１２ｂ）の変位動作（回転動作）に連動して回転する
「【００１９】
　回転力伝達機構１３は、操作部１２の支軸１７に固設された駆動プーリ１３ａと、回転抵抗発生装置５０の回転軸５１に固設された従動プーリ１３ｂと、これらプーリ１３ａ，１３ｂ間で動力を伝達するように巻き掛けられた無端ベルト１３ｃとで構成されている。この
回転力伝達機構１３により、回転抵抗発生装置５０における回転抵抗が操作部１２の第２把持部１２ｂに伝達され
「【００３２】
＜従動ユニット＞
　次に、従動ユニット２０について説明する。
従動ユニット２０は、
従動部２２、反力検出部２３、制御部２１、ケーシング２５等で構成され
【００３３】
　
従動部２２は、操作ユニット１０から送られてくる変位量（回転量）の情報に応じて、変位（回転）するものである
【００３４】
　
反力検出部２３は、
圧力センサ２７等によって構成され
圧力センサ２７によれば、左右のアーム２２Ｌ，２２Ｒが対象物体１を挟持する際にアーム２２Ｒ内に発生する応力に応じた荷重が検出される
検出荷重および所定のパラメータに基づいて、左右のアーム２２Ｌ，２２Ｒが対象物体１から受ける反力を求めることができ
【００３５】
　制御部２１は、マイクロコンピュータなどで構成される。この制御部２１には、図１に示すように、回転量検出部１４から第２把持部１２ｂの回転量に関する情報と、圧力センサ２７の出力値と、電流上限値調整器２８からの電流上限値指示信号と、ゲイン調整器２８ｂからのゲイン指示信号と、オフセット量調整器２８ｃからのオフセット量指示信号とが入力される。また、
制御部２１には、
圧力センサ２７の出力から得られる反力［Ｎ］と回転抵抗発生装置５０に供給すべき電流値［Ａ］との関係が記憶され
…（中略）…
【００３７】
　アーム２２Ｌ，２２Ｒの先端面２２Ｌａ，２２Ｒａ同士の間に対象物体１を配置し、その対象物体１をアーム２２Ｌ，２２Ｒの先端面２２Ｌａ，２２Ｒａ間に挟持すると、圧力センサ２７の出力値が上昇する。この出力値は挟持力の大きさに比例して大きくなる。
制御部２１は、この出力値から得られる対象物体１の反力をパラメータとして、
反力［Ｎ］と電流値［Ａ］との関係から、電流値を読み出し、更に、読み出したその電流値にゲイン調整器２８ｂから指示されるゲインを乗じた値であって、かつ、電流上限値調整器２８ａが指示する電流値を上限とする電流を回転抵抗発生装置５０のコイル５７に供給する
「【００３８】
＜保存・再生ユニット＞
　
保存・再生ユニット３０は
情報記憶部３１と、
保存・再生制御部３２と、
操作部３３とを備え
保存・再生制御部３２は、
対象物体１の反力［Ｎ］と回転抵抗発生装置５０に供給すべき電流値［Ａ］との関係を記憶している
【００３９】
　この
保存・再生ユニット３０において、操作部３３の保存ボタン３３ａを押下すると、
第２把持部１２ｂを可動範囲で回転（変位）させることで、
第２把持部１２ｂの回転量と、対象物体１の反力との関係が保存・再生制御部３２により力覚情報として情報記憶部３１に書き込まれ
【００４０】
　
第２把持部１２ｂの回転量と、対象物体１の反力との関係が情報記憶部３１に書き込まれた後は、操作部３３の再生ボタン３３ｂを押下することで、保存・再生制御部３２は、操作ユニット１０側から入力されている第２把持部１２ｂの回転量に対応する反力を、
読み出す
読み出したその反力を
得られる値の電流を回転抵抗発生装置５０のコイル５７に供給する
これにより、供給される電流値に応じて回転抵抗発生装置５０の回転軸５１の回転抵抗が変化し、第２把持部１２ｂに対して、変位に応じた抵抗が付与され、操作者は、対象物体１が無くても、指先にあたかもその物体が実在しているかのように感じる
「【図１】       
」
「【図４】
」
「【図５】
」
（２）引用発明２
　したがって、上記引用文献２には次の発明（以下、「引用発明２」という。）が記載されていると認められる。
「　ボイスコイルモータを用いて、指先に付与する力覚を指間距離に応じてリアルに再現するには、コイルに流す電流の制御系が複雑になるという問題の解決のために、簡易な構成、構造、制御系でも、遠隔にある物体や仮想物体を手で扱う際の力覚をリアルに再現できる力覚提示システムであって、
　力覚提示システム１００は、操作ユニット１０、従動ユニット２０、保存・再生ユニット３０等で構成され、力覚提示システム１００では、操作者が操作ユニット１０を操作することで、遠隔にある対象物体１を従動ユニット２０を介して疑似的に掴むことができ、その力覚を操作ユニット１０の操作部においてリアルに再現し、操作者の指先等にあたかもその対象物体１が実在しているかのように感じさせることができ、また、保存・再生ユニット３０を利用して上記力覚情報を保存し、その保存した力覚情報を操作ユニット１０において再生させることができ、
　操作ユニット１０は、回転抵抗発生装置５０、操作部１２、回転力伝達機構１３、回転量検出部１４、ケーシング１６等で構成され、
　回転抵抗発生装置５０は、内部に封入された磁気粘性流体に付与する磁場の強さを変化させることにより、回転軸（回転部）５１の回転抵抗を変化させ、回転軸５１は、操作部１２の変位部（第２把持部１２ｂ）の変位動作（回転動作）に連動して回転し、
　回転力伝達機構１３により、回転抵抗発生装置５０における回転抵抗が操作部１２の第２把持部１２ｂに伝達され、
　従動ユニット２０は、従動部２２、反力検出部２３、制御部２１、ケーシング２５等で構成され、
　従動部２２は、操作ユニット１０から送られてくる変位量（回転量）の情報に応じて、変位（回転）するものであり、
　反力検出部２３は、圧力センサ２７等によって構成され、圧力センサ２７によれば、左右のアーム２２Ｌ，２２Ｒが対象物体１を挟持する際にアーム２２Ｒ内に発生する応力に応じた荷重が検出され、この検出荷重および所定のパラメータに基づいて、左右のアーム２２Ｌ，２２Ｒが対象物体１から受ける反力を求めることができ、
　制御部２１には、圧力センサ２７の出力から得られる反力［Ｎ］と回転抵抗発生装置５０に供給すべき電流値［Ａ］との関係が記憶されており，
　制御部２１は、この出力値から得られる対象物体１の反力をパラメータとして、反力［Ｎ］と電流値［Ａ］との関係から、電流値を読み出し、更に、読み出したその電流値にゲイン調整器２８ｂから指示されるゲインを乗じた値であって、かつ、電流上限値調整器２８ａが指示する電流値を上限とする電流を回転抵抗発生装置５０のコイル５７に供給し、
　保存・再生ユニット３０は、情報記憶部３１と、保存・再生制御部３２と、操作部３３とを備え、保存・再生制御部３２は、対象物体１の反力［Ｎ］と回転抵抗発生装置５０に供給すべき電流値［Ａ］との関係を記憶しており、
　保存・再生ユニット３０において、操作部３３の保存ボタン３３ａを押下すると、第２把持部１２ｂを可動範囲で回転（変位）させることで、第２把持部１２ｂの回転量と、対象物体１の反力との関係が保存・再生制御部３２により力覚情報として情報記憶部３１に書き込まれ、
　第２把持部１２ｂの回転量と、対象物体１の反力との関係が情報記憶部３１に書き込まれた後は、操作部３３の再生ボタン３３ｂを押下することで、保存・再生制御部３２は、操作ユニット１０側から入力されている第２把持部１２ｂの回転量に対応する反力を、読み出し、読み出したその反力から得られる値の電流を回転抵抗発生装置５０のコイル５７に供給し、これにより、供給される電流値に応じて回転抵抗発生装置５０の回転軸５１の回転抵抗が変化し、第２把持部１２ｂに対して、変位に応じた抵抗が付与され、操作者は、対象物体１が無くても、指先にあたかもその物体が実在しているかのように感じる、
　力覚提示システム。」
第５　対比・判断
１　本願発明１について
（１）対比
　本願発明１と引用発明とを対比する。
ア　引用発明１の「データ入力デバイス３０はケーブル３により、情報処理手段２と接続され、情報処理手段２は表示手段４と接続され、操作者がデータ入力デバイス３０を掌でおおうように把持するとき、人差指および中指の先端部分はデータ入力デバイス３０の表面上の窪み３４、３３の上に添えられ、窪み３３、３４には、圧力センサ３１ａ，３１ｂ，３１ｃ，３１ｄ，３１ｅ、３２ａ，３２ｂ，３２ｃ，３２ｄ，３２ｅが搭載されており、指の押す力を検出することができる」との構成からすると、「データ入力デバイス３０」は、操作者が掌でおおうように把持し、指の先端部分を表面上の窪み３３、３４に添え、指の押す力により「データ」を「入力」する「デバイス」と把握することができるから、「操作部」といい得るものである。
　また、上記の構成からすると、「データ入力デバイス３０」は「圧力センサ」を備えるが、「圧力センサの代わりに変位検知手段でも可能であり」との構成を採用した場合には、「圧力センサ」に替えて「変位検出手段」を備えることとなる。そして、「圧力センサ」が、「指の押す力を検出する」ものであることを考慮すれば、「変位検出手段」は、指による押す操作によって、押す対象である「データ入力デバイス３０」の一部が変位し、その「変位量」を検出するものとなる。
　そうすると、変位する「データ入力デバイス３０」の一部は、操作者の操作によって変位する「変位部」といい得るものである。
　よって、引用発明１の「データ入力デバイス３０」は、本願発明１の「操作者の操作によって変位する変位部を有する操作部」に相当する。
イ　前記アを参酌すると、引用発明１の「変位検出手段」は、本願発明１の「前記変位部の変位量を検出するための変位量検出部」に相当する。
ウ　引用発明１の「圧力センサは可動部分４１ｃ、４１ｄ，４１ｂに搭載されており、駆動軸４２ｃ，４２ｄ，４２ｂを回転させることによりピニオン歯車とラック歯車の関係により、圧力センサを指の当たる方向に移動制御することができ」との構成によれば、「駆動軸４２ｃ，４２ｄ，４２ｂ」は回転する「回転部」といい得るものである。
　もっとも、前記アにおいて、「圧力センサ」に代えて「変位検出手段」を採用した場合に、変位する「データ入力デバイス３０」の一部の変動に連動して前記「駆動軸４２ｃ，４２ｄ，４２ｂ」が回転する構成になるとは限らない。（引用発明１は、「圧力センサとしては感圧式の導電ゴムなどが可能であり」との構成を備えることを参酌すれば、「変位検出手段」は、窪み３３、３４に搭載されたゴムの変位量を検出するものである可能性があり、そうすると、当該ゴムの変位に連動して「駆動軸４２ｃ，４２ｄ，４２ｂ」が回転する構成とはならない。）
　また、引用発明１は、「圧力センサの検出した圧力情報は増幅器３５ｃ，３５ｄ，３５ｂを経由して情報処理手段２へ送られると共に、比較制御手段４５ｃ，４５ｄ，４５ｂに送られ、情報処理手段２より送られてきた目標反力値が得られるよう比較制御処理が行われ、比較制御手段４５ｃ，４５ｄ，４５ｂの出力は駆動軸４２ｃ，４２ｄ，４２ｂに送られることにより、目標値通りの反力が得られるよう制御され」との構成を備えることから、「駆動軸４２ｃ，４２ｄ，４２ｂ」は「データ入力デバイス３０」に「反力」を与える、反力付与手段といい得るものである。
　一方、本願発明１の「回転抵抗発生部」は、操作部の変位部の変位動作に連動して回転する回転部に対して回転抵抗を付与するものであるから、結果として、回転部を介して操作部に対して反力を与える、反力付与手段といい得るものである。
　そうすると、引用発明１と、本願発明１の「前記変位部の変位動作に連動して回転する回転部を有し、供給される電流の大きさに応じた強さの磁場を内部に封入された磁気粘性流体に付与して、当該電流の大きさに応じた回転抵抗を前記回転部に付与するように構成された回転抵抗発生部」とは、「回転する回転部を有し、前記操作部に反力を与える反力付与手段」である点において共通する。
エ　前記ウを参酌すると、引用発明１は、「圧力センサの検出した圧力情報」に基づいて、「増幅器３５ｃ，３５ｄ，３５ｂ」、「情報処理手段２」及び「比較制御手段４５ｃ，４５ｄ，４５ｂ」が協働して、「駆動軸４２ｃ，４２ｄ，４２ｂ」を制御して、目標値どおりの反力が得られるように制御するものであるから、「増幅器３５ｃ，３５ｄ，３５ｂ」、「情報処理手段２」及び「比較制御手段４５ｃ，４５ｄ，４５ｂ」は、「制御装置」といい得るものである。また、「駆動軸４２ｃ，４２ｄ，４２ｂ」を制御する際に、電流を供給することは自明であり、また、「圧力センサ」に代えて「変位検出手段」を採用した場合においては、「圧力情報」に代えて「変位量」が検出されることとなる。
　以上からすると、引用発明１の前記「制御装置」は、変位検出手段が検出する変位量に基づいて電流を供給するものといえる。
　よって、引用発明１の前記「制御装置」と、本願発明１の「予め設定された変位量と電流値の対応情報と、前記変位量検出部が検出する変位量とに基づいて定まる値の電流を前記回転抵抗発生部に供給する制御装置」とは、「前記変位量検出部が検出する変位量に基づいて電流を前記反力付与手段に供給する制御装置」である点において共通する。
オ　引用発明１の「データ入力デバイス３０に入力された手指の腹の圧力に基づく手指の曲げ意図はケーブル３を通して情報処理手段２に送られて仮想の手指の曲げ角度などに変換され、仮想の手指の曲げ角度は表示手段４により、画面の中で仮想物体４０に示すごとく、手指の形状そのままに表示され、このとき、仮想物体４１との相互の位置関係も画像として表示され」との構成において、表示手段４（表示装置）に表示されるものは「仮想物体４０」であるから、これが表示される画面は、「仮想空間」といい得るものである。
　よって、引用発明１の「表示手段４」と、本願発明１の「前記変位量検出部が検出する変位量に応じて変形する仮想物体を仮想空間に表示する表示装置」とは、「仮想物体を仮想空間に表示する表示装置」である点において共通する。
カ　引用発明１の「力覚呈示デバイス」は、本願発明１の「力覚提示装置」に相当する。
（２）一致点、相違点
　したがって、本願発明１と引用発明との間には、次の点において一致ないし相違する。
［一致点］
「　操作者の操作によって変位する変位部を有する操作部と、
　前記変位部の変位量を検出するための変位量検出部と、
　回転する回転部を有し、前記操作部に反力を与える反力付与手段と、
　前記変位量検出部が検出する変位量に基づいて電流を前記反力付与手段に供給する制御装置と、
　仮想物体を仮想空間に表示する表示装置と、
　を備えることを特徴とする力覚提示装置。」
［相違点］
＜相違点１＞
　「反力付与手段」が、本願発明１は、「前記変位部の変位動作に連動して回転する回転部を有し、供給される電流の大きさに応じた強さの磁場を内部に封入された磁気粘性流体に付与して、当該電流の大きさに応じた回転抵抗を前記回転部に付与するように構成された回転抵抗発生部」であるのに対し、引用発明１はそのような構成を備えていない点。
＜相違点２＞
　「制御装置」が、本願発明１は、「予め設定された変位量と電流値の対応情報と、前記変位量検出部が検出する変位量とに基づいて定まる値の電流を前記回転抵抗発生部に供給する」ものであるのに対し、引用発明１はそのような構成を備えていない点。
＜相違点３＞
　「表示装置」が表示する「仮想物体」が、本願発明１は、「前記変位量検出部が検出する変位量に応じて変形する仮想物体」であるのに対し、引用発明１は、「力覚呈示デバイス３０では手の指に反力を与えるので操作者は容易に手指の先が仮想物体４１に当たっていることを知ることができ、かつ、表示手段４からの画像出力を併せて知ることができるので、より高度な作業が実現でき、例えば、
仮想物体
変形作業
変位量に応じて変形する
（３）相違点についての判断
　事案に鑑みて、先に相違点２について検討する。
　引用発明２は、操作部１２の変位部の変位動作に連動して回転する回転軸５１に対する回転抵抗を変化させる回転抵抗発生装置５０と、反力と電流値との関係を予め対応付けて記憶している保存・再生ユニット３０とを備え、保存・再生ユニット３０は、操作部３３の保存ボタン３３ａを押下することにより、第２把持部１２ｂ（回転軸５１）の回転量と、対象物体１の反力との関係を力覚情報として記憶し、その後、操作部３３の再生ボタン３３ｂを押下することで、操作ユニット１０側から入力されている第２把持部１２ｂ（回転軸５１）の回転量に対応する反力を読み出し、読み出したその反力から得られる値の電流を回転抵抗発生装置５０のコイル５７に供給するものである。
　すると、引用発明２は、反力と電流値とを対応付けた対応情報と、変位量と反力とを対応付けた力覚情報とから、変位量に対する電流値が定まるものであるから、「
予め設定された変位量と電流値の対応情報
　仮に、引用発明２において、反力と電流値と対応付けた対応情報と変位量と反力とを対応付けた力覚情報とを結合して、「変位量と電流値の対応情報」を生成して予め設定することが容易であるとしても、引用発明１に、引用発明２の技術事項を適用した上で、変位量と電流値の対応情報を生成して予め設定するように変更することはいわゆる「容易の容易」となり、容易想到ということはできない。
　したがって、上記相違点１及び３について判断するまでもなく、本願発明１は、当業者であっても、引用文献１及び引用文献２に記載された発明に基いて容易に発明をすることができたものとはいえない。
２　本願発明２及び３について
　本願発明２及び３も、本願発明１の「
予め設定された変位量と電流値の対応情報
第６　むすび
　以上のとおり、本願発明１ないし３は、当業者が引用文献１及び引用文献２に記載された発明に基いて容易に発明をすることができたものではない。
　したがって、原査定の理由によっては、本願を拒絶することはできない。
　また、他に本願を拒絶すべき理由を発見しない。
　よって、結論のとおり審決する。